(57)【要約】  【課題】テーブル等の家具にアダプタ機能を設け、移動させるだけで簡単、確実に家具上で電力供給を受けることができるようにした移動家具の給電システムを提供する。  【解決手段】コネクタ１１ｂを有し下端部をキャスタ１５ａにより滑動可能に支持された移動家具たるテーブル１を床上で移動させることにより、そのコネクタ１１ｂを電力供給部たる電源ポール２のコネクタ２１ｂに電気的に接続して、テーブル１側より電力を取り出すように構成するにあたり、両コネクタ１１ｂ、２１ｂ間に設けられ、磁気的作用により互いに吸着して電気的な接続状態を確立するとともに吸着力以上の外力により電気的な接続状態を解除するマグネット機構５と、一方のコネクタ２１ｂを所定範囲内で遊動可能に支持する遊動支持部３とを備え、電源ポール２に対するテーブル１のアクセス動作に伴い、遊動支持部３で許容される範囲内でコネクタ２１ｂが接続に必要な位置変位又は姿勢変更を引き起こすようした。  【選択図】図１
2010118247.tif 000002
【特許請求の範囲】
【請求項１】
一部にコネクタを有し下端部を滑動可能に支持された移動家具を床上で移動させることにより、そのコネクタを電力供給部のコネクタに電気的に接続して、前記移動家具側で電力を取り出すようにしたものであって、
両コネクタ間に設けられ、磁気的作用により互いに吸着して電気的な接続状態を確立するとともに吸着力以上の外力により電気的な接続状態を解除するマグネット機構と、少なくとも一方のコネクタを所定範囲内で遊動可能に支持する遊動支持部とを備え、電力供給部に対する移動家具のアクセス動作に伴い、前記遊動支持部で許容される範囲内で前記コネクタが接続に必要な位置変位、姿勢変更などの状態変化を引き起こすように構成したことを特徴とする移動家具の給電システム。
【請求項２】
遊動支持部は、コネクタが吸着方向へ引き起こす突出動作を許容するものである請求項１記載の移動家具の給電システム。
【請求項３】
コネクタ間が接続されていない状態で、コネクタを没入位置に保持するためのオフセット用の補助マグネット機構を備えている請求項２記載の移動家具の給電システム。
【請求項４】
遊動支持部は、コネクタが高さ違いを解消するために引き起こす上下動作を許容するものである請求項１〜３何れかに記載の移動家具の給電システム。
【請求項５】
一対のコネクタの何れか一方のみが遊動するように構成される場合において、コネクタ間が接続されていない状態で、遊動する側のコネクタが自重により支持面上にオフセットされるように構成するとともに、この位置でのコネクタの基準床面からの高さが、遊動しない側のコネクタの基準床面からの高さよりも低く設定されている請求項４記載の移動家具の給電システム。
【請求項６】
遊動支持部が通過窓を有し、コネクタと一体的に設けられた軸部を前記通過窓に通過させた状態で軸部の遊動を所定範囲内で許容するものである請求項１〜５何れかに記載の移動家具の給電システム。
【請求項７】
移動家具をコネクタ同士の接続に必要な位置の近傍に導くためのガイド機構を当該移動家具と電力供給部との間に設けている請求項１〜６何れかに記載の移動家具の給電システム。
【請求項８】
ガイド機構によるガイド終端位置は、コネクタ同士を、コネクタが遊動しない限り接続されない範囲で近接させる位置に設定されている請求項７記載の移動家具の給電システム。
【請求項９】
電源供給部に複数のコネクタを備え、複数の移動家具が所定位置に配列集合した状態で電源供給部の各コネクタに各々対応する移動家具のコネクタが接続されるように構成している請求項７又は８何れかに記載の移動家具の給電システム。
【発明の詳細な説明】
【技術分野】
【０００１】
本発明は、コンセントを備えて床上を移動可能とした移動家具に係り、特に電力供給部との接続に便ならしめた移動家具の給電システムに関する。
【背景技術】
【０００２】
例えば、テーブル上でパーソナルコンピュータ（パソコン）等に電源供給を受けるために、従来では、壁面のコンセントからＯＡタップを介して配線を引き込むようにしていた。このため、その都度ＯＡタップを引き回す必要があるため煩雑であるほか、机上面にコンセントが転がって乱雑になり、さらに歩行の邪魔になるほか、コードを引っ掛けて机上のパソコン等が落下したり、配線類に損傷を生じるおそれもある。
【０００３】
そこで、近時のテーブル等には、コンセントが机上面に組み込まれたものが比較的多く出回っている。特許文献１には、移動式のテーブルにおいてそのような家具が開示されている。
【特許文献１】特開２００３−９３１６１号公報
【発明の開示】
【発明が解決しようとする課題】
【０００４】
しかしながら、このように構成した場合、机上面は整然となるにしても、テーブルを移動させる際には逐一コンセントの抜き差しが必要となる点に変わりはなく、また、壁面のコンセントとの間に配線が張り巡らされた場合に、ＯＡタップに足をとられ易く、歩行の邪魔になったり、抜き差しを忘れて移動しようとした際にコードを引っ掛けて配線類に損傷を生じるおそれもある。
【０００５】
本発明は、このような課題に着目してなされたものであって、テーブル等の家具にアダプタ機能を設け、移動させるだけで簡単、確実に家具上で電力供給を受けることができるようにした移動家具の給電システムを提供することを目的としている。
【課題を解決するための手段】
【０００６】
本発明は、かかる目的を達成するために、次のような手段を講じたものである。
【０００７】
すなわち、本発明の給電システムは、一部にコネクタを有し下端部を滑動可能に支持された移動家具を床上で移動させることにより、そのコネクタを電力供給部のコネクタに電気的に接続して、前記移動家具側で電力を取り出すようにしたものであって、両コネクタ間に設けられ、磁気的作用により互いに吸着して電気的な接続状態を確立するとともに吸着力以上の外力により電気的な接続状態を解除するマグネット機構と、少なくとも一方のコネクタを所定範囲内で遊動可能に支持する遊動支持部とを備え、電力供給部に対する移動家具のアクセス動作に伴い、前記遊動支持部で許容される範囲内で前記コネクタが接続に必要な位置変位、姿勢変更などの状態変化を引き起こすように構成したことを特徴とする。
【０００８】
なお、ここに言う給電システムは、バッテリ等のような蓄電機能を備えた移動家具に給電を行う場合に限らず、移動家具上に設置したＯＡ機器等に当該移動家具から給電を行える状態にあれば足りるものとする。
【０００９】
このように構成すれば、移動家具を移動させるだけで電源供給部との接続を行うことができるので、逐一プラグをコンセントに着脱する煩わしさを解消することができる。また、移動家具を電源供給部に密着させて給電を行うため、壁面のコンセントとの間に配線類が張り巡らされるような状態となることもなく、配線類に足をとられたり、歩行の邪魔になることも解消することができる。さらに、移動家具の移動に伴ってマグネットによりコンセント間の着脱が行われるため、抜き差しを忘れて移動しようとした際にコードを引っ掛けて配線類に損傷を生じる不具合も有効に解消することができる。但し、床は必ずしも面精度が高いとは限らず、波打って不陸が生じていたり、部分的にカーペットが敷いてあるなどして、コンセント同士の高さは必ずしも合致するとは限らない。また、アクセス方向が多少ずれる場合もあり得るし、移動家具の急激な衝突を回避する必要もある。そこで、上記のような構成により、少なくとも一方のコネクタを遊動支持しておけば、自らが動いて適切な位置や姿勢をとるので、移動家具を移動させるだけで電源供給部との接続を行うという本発明の効果を実効あらしめることができる。
【００１０】
コネクタ同士の衝撃を緩和するためには、遊動支持部は、コネクタが吸着方向へ引き起こす突出動作を許容するものであることが望ましい。
【００１１】
この場合、電力供給状態にないときの適正な状態を確保するためには、コネクタ間が接続されていない状態で、コネクタを没入位置に保持するためのオフセット用の補助マグネット機構を備えていることが好ましい。
【００１２】
床の不陸等に有効に対応するためには、遊動支持部は、コネクタが高さ違いを解消するために引き起こす上下動作を許容するものであることが望ましい。
【００１３】
この場合、一対のコネクタの何れか一方のみが遊動するように構成するときには、コネクタ間が接続されていない状態で、遊動する側のコネクタが自重により支持面上にオフセットされるように構成するとともに、この位置でのコネクタの基準床面からの高さが、遊動しない側のコネクタの基準床面からの高さよりも低く設定しておくことが効果的である。
【００１４】
遊動支持部を簡素に構成するためには、当該遊動支持部に通過窓を有し、コネクタと一体的に設けられた軸部を前記通過窓に通過させた状態で軸部の遊動を所定範囲内で許容するものであることが好ましい。
【００１５】
移動家具を無造作に移動させても所定位置に確実に導くためには、移動家具をコネクタ同士の接続に必要な位置の近傍に導くためのガイド機構を当該移動家具と電力供給部との間に設けておくことが効果的である。
【００１６】
移動家具の移動の慣性がコネクタ同士の衝撃になることを確実に回避するためには、ガイド機構によるガイド終端位置は、コネクタ同士を、コネクタが遊動しない限り接続されない範囲で近接させる位置に設定されていることが望ましい。
【００１７】
本発明を効果的に展開するためには、電源供給部に複数のコネクタを備え、複数の移動家具が所定位置に配列集合した状態で電源供給部の各コネクタに各々対応する移動家具のコネクタが接続されるように構成することが有効となる。
【発明の効果】
【００１８】
本発明は、以上説明した構成であるから、移動家具を移動させるだけで電源供給部との間で電力供給状態の断接切替を行うことができるので、逐一コンセントの抜き差しを行うことを不要にして、移動家具側から適切に電力を取り出すことが可能とり、抜き差しを忘れて移動しようとした際にコードを引っ掛けて配線類に損傷を生じるおそれも解消することができる。その際、移動家具を電力供給部に密接させて給電を受けるため、移動家具と電力供給部との間に配線が引き回されることを回避して、オフィスの機能低下を防止し、足を引っ掛けるおそれも解消することができる。また、移動家具にバッテリを搭載すれば、移動家具を移動させるだけで電源供給部から離れた位置でもパソコン等に有効に電力を供給することができるようになる。
【発明を実施するための最良の形態】
【００１９】
以下、本発明の一実施形態を、図面を参照して説明する。
【００２０】
この実施形態の移動家具の給電システムは、図１に示すように、コネクタ１１を有し下端部をキャスタ１５ａに支持された移動家具であるテーブル１を床上で移動させることにより、前記テーブル１のコネクタ１１を、電力供給部である電源ポール２のコネクタ２１ｂに電気的に接続して、前記テーブル１側で電力を取り出せるようにしたものである。
【００２１】
電源ポール２は、脚羽根２２に支柱２３を介してコネクタボックス２４を支持させたもので、脚羽根２２はアジャスタ２２ａを介して床上に安定的に接地される。コネクタボックス２４は図２に示すように外壁２４ａにコネクタ２１ｂを備え、床から立ち上げた電源線Ｃが図示しないブレーカを介して前記コネクタ２１ｂに接続されている。この実施形態では、コネクタボックス２４の外壁２４ａは平面視六角形状であり、各面にそれぞれ窓２４ｂを形成して、その窓２４ｂごとに計６個のコネクタ２１ｂを配している。窓２４ｂの大きさはコネクタ２１ｂを保持するコネクタ保持部２１ａよりも若干大きく、特に上下方向に対して遊びが設定されている。
【００２２】
そして、前記コネクタ２１ｂをコネクタ保持部２１ａに取り付けて、図３に示す遊動支持部３を介して前記窓２４ｂ内で遊動させ得るようにしている。図３はコネクタ２１ｂをコネクタ保持部２１ａから分離させた状態で示している。前記コネクタボックス２４の底壁２４ｃにはアングル状の起立片３１が固定してあり、遊動支持部３は、当該起立片３１の２箇所に設けた長孔状の通過窓３１ａと、前記コネクタ保持部２１ａの裏面より後方に向けて突出する４本の軸部３２とを具備し、この軸部３２を前記通過窓３１ａに通過させて構成されている。そして、軸部３２が通過窓３１ａを通過した位置に、ストッパ３３を配置している。図３において符号３０で示すものはゴム等の緩衝部材である。すなわち、かかる遊動支持部３によりコネクタ２１ｂは、コネクタ保持部２１ａと一体となって背面３ａを緩衝部材３０を介して起立片３１に突き当てる図３の没入位置とストッパ３３を起立片３１に突き当てる突出位置との間で前後方向に遊動するとともに、底壁２４ｃ上に接地する位置とコネクタ保持部２１ａの上部が窓２４ｂの上縁に突き当たる位置との間で上下方向にも遊動することが可能とされている。勿論、軸部３２が先に通過窓３１ａの上端に到達するようにしてもよい。通過窓３１ａは軸部３２よりも若干幅広に設けてあり、コネクタ保持部２１ａの左右方向の首振りも若干許容されるようになっている。この実施形態では、ボルトｖのねじ部が軸部３２、頭部がストッパ３３として用いられている。
【００２３】
前記コネクタ２１ｂは、図４に示すように、雌型端子２１ｘとマグネット２１ｙとを備えたもので、これ自体は次に述べるコネクタ１１ｂとともにマグネットスイッチとして一般に市場に供されているものである。
【００２４】
一方、図１に示すテーブル１の天板１２は、平面視概略三角形状のもので、天板１２の机上面に前記コネクタ２１ｂと対をなすコネクタ１１ｂを突出状態で配している。このコネクタ１１ｂは、図３に示すように、雄型端子１１ｘとマグネット吸着板１１ｙとを備えたもので、上記コネクタ２１ｂと対をなして用いられるものであり、コネクタホルダ１１に保持されている。コネクタ保持部１１は着脱自在な半割り構造をなしていて、前記コネクタ１１ｂの背面にＯＡコンセントプラグ４１ａを差し込んだ状態でコネクタ保持部１１を閉じることができるように構成されている。
【００２５】
図１に示す天板１２は、机上面の中央よりに開口１３を有し、その開口１３内における机上面に略連続する位置に透明の開閉蓋１３ａが取り付けられている。この開閉板１３ａを開けた位置には図示しないＯＡコンセントが待機状態で設けられ、このＯＡコンセントから引き出された配線の先端が前述したＯＡコンセントプラグ４１ａに相当する。天板１２の下には図５に示すように棚１４が設けてあり、この棚１４に必要に応じてバッテリＢ等の必要な部材を搭載することができる。バッテリＢを搭載する際には、前記コネクタ１１ｂをＡＣコンバータを介して当該バッテリＢに接続し、このバッテリＢから前記開口１３内のＯＡコンセントに直流電力を供給するように構成してもよい。この場合には、テーブル１は電源ポール２から離れた位置でも電力を供給できる電源搭載家具として機能することになる。
【００２６】
そして、両コネクタ１１ｂ、２１ｂ間に、磁気的作用により互いに吸着して電気的な接続状態を確立するとともに吸着力以上の外力により電気的な接続状態を解除するマグネット機構５を設けている。
【００２７】
このマグネット機構５は、図３、図４および図６に示すように、電力供給部たる電源ポール２のコネクタ保持部２１ａ内に設けた第１のマグネット５１と、移動家具たるテーブル１のコネクタ保持部１１内に設けた第２のマグネット５２とから構成されるもので、第１のマグネット５１はコネクタ保持部２１ａの裏面における高さ方向ほぼ中央部の左右二箇所に開口する有底穴２１ｃに装着され、第２のマグネット５２はコネクタ保持部１１を半割りした状態で第２接続部が存する側の分割片の裏面における高さ方向ほぼ中央部の左右二箇所に開口する有底穴１１ｃに装着されて、相互に引き合う磁極関係に設定されている。
【００２８】
また、図３および図６に示す電源ポール２側の第１のマグネット５１は、コネクタボックス２４に設けた起立片３１と協働して補助マグネット機構６を構成している。この補助マグネット機構６は、突出位置にあるコネクタ２１ｂを吸着して没入位置にオフセットさせるためのもので、前記起立片３１は鉄等により構成されており、前記第１のマグネット５１はかかるオフセット力を発揮するに足る磁力に設定されている。ただし、テーブル１側のコネクタ１１ｂが近づいた際には、第１のマグネット５１と第２のマグネット５２の間の磁気吸引力が勝って、電源ポール２側のコネクタ保持部２１ａは起立片３１から離反してコネクタ２１ｂに突出動作が引き起こされるように構成されている。没入位置でコネクタ２１ｂは、コネクタボックス２４の外壁２４ａから僅かに突出した状態にあるように設定されている。
【００２９】
さらに、この実施形態は、移動家具であるテーブル１と電力供給部である電源ポール２との間に、図１および図５の位置から→図７の位置に向かってテーブル１をコネクタ１１ｂ、２１ｂ同士の接続に必要な位置の近傍に導くためのガイド機構７を設けている。このガイド機構７は、電源ポール２のコネクタボックス２４の下に所定の間隙δを隔てて取り付けた外向きに開くガイド板７１と、テーブル１の天板１２と脚１５との間に設けた凹所１６の内部にあって前記ガイド板７１が部分的に進入した際に係合する位置に形成した外向きのフォロア７２とから構成される。ガイド板７１には凹状に湾曲したガイド面７１ａが形成され、フォロア７２は概略半月状に突出させて設けられたものである。すなわち、テーブル１が電源ポール２に近づいて天板１２の一部が前記間隙δに進入し、同時にガイド板７１が前記凹所１６に侵入したときに、ガイド板７１のガイド面７１ａに沿ってフォロア７２が案内されるようにしている。図７に示すガイド機構７によるガイド終端位置で、コネクタ１１ｂ、２１ｂ同士を、コネクタ２１ｂが遊動しない限り接続されない位置で近接させるように設定されている。つまり、テーブル１が電源ポール２にある程度接近した位置で前記ガイド機構７により停止させられ、その停止の前後において電源ポール２のコネクタ２１ｂが図６に示す実線位置から想像線位置にまで突出することによりテーブル１のコネクタ１１ｂとの接続を果たすようにしている。前記ガイド機構７は、テーブル１の脚１５が電源ポール２の支柱２３と衝突することを避ける役割を兼ねている。
【００３０】
以上において、コネクタ１１ｂ、２１ｂ同士が接続されていない状態では、遊動する側のコネクタ２１ｂが自重により支持面である底壁２４ｃ上にオフセットされる。そして、この場合の電源ポール２における基準床面からコネクタ２１ｂの中心までの高さｈ２が、テーブル１における基準床面からコネクタ１１ｂの中心までの高さｈ１よりも若干低くなるように設定されている。ここに言う基準床面とは、不陸のない同一水平レベルにある床面を意味する。したがって、実際の使用場所で床面の高低差により電源ポール２側のコネクタ２１ｂがテーブル１側のコネクタ１１ｂよりもある程度高くても低くても上下方向の遊動の範囲にあれば図６に示すように上下方向に同時に動いて接続を完了することができる。
【００３１】
図８は、この移動家具の給電システムの使用例を示している。前述したように、電源供給部である電源ポール２には複数のコネクタ２１ｂを備えており、移動家具であるテーブル１の天板１２は平面視三角形状に形成されて机上面にコネクタ１１ｂを備えているため、６個のテーブル１が電源ポール２の周囲に隙間なく配列集合した状態で、電源ポール２の各コネクタ２１ｂに各々対応するテーブル１のコネクタ１１ｂが接続されることとなる。
【００３２】
以上のように、本実施形態の移動家具の給電システムは、コネクタ１１ｂを有し下端部をキャスタ１５ａにより滑動可能に支持された移動家具たるテーブル１を床上で移動させることにより、そのコネクタ１１ｂを電力供給部たる電源ポール２のコネクタ２１ｂに電気的に接続して、テーブル１側より電力を取り出すように構成するにあたり、両コネクタ１１ｂ、２１ｂ間に設けられ、磁気的作用により互いに吸着して電気的な接続状態を確立するとともに吸着力以上の外力により電気的な接続状態を解除するマグネット機構５と、一方のコネクタ２１ｂを所定範囲内で遊動可能に支持する遊動支持部３とを備え、電源ポール２に対するテーブル１のアクセス動作に伴い、遊動支持部３で許容される範囲内でコネクタ２１ｂが接続に必要な位置変位又は姿勢変更を引き起こすようにしたものである。
【００３３】
このように構成すれば、テーブル１を移動させるだけで電源ポール２との接続を行うことができるので、逐一プラグ４１ａを壁面コンセント等に着脱する煩わしさを解消することができる。また、テーブル１を電源ポール２に密着させて給電を行うため、壁面コンセントとの間に配線類が張り巡らされるような状態となることもなく、配線類に足をとられたり、歩行の邪魔になることも解消することができる。さらに、テーブル１の移動に伴ってマグネット機構５によりコンセント１１ｂ、２１ｂ間の着脱が行われるため、抜き差しを忘れて移動しようとした際にコードを引っ掛けて配線類に損傷を生じる不具合も有効に解消することができる。但し、床は必ずしも面精度が高いとは限らず、波打って不陸が生じていたり、部分的にカーペットが敷いてあるなどして、コンセント同士の高さは必ずしも合致するとは限らない。また、アクセス方向が多少ずれる場合もあり得るし、テーブル１の急激な衝突を回避する必要もある。これに対して、本実施形態は、テーブル１側のコネクタ１１ｂを遊動可能に支持しており、自らが動いて適切な位置や姿勢をとるので、テーブル１を移動させるだけで電源ポール２との接続を的確に行うことが可能となる。
【００３４】
具体的には、テーブル１の移動力でコネクタ１１ｂ、２１ｂ同士を接続すると、衝突時のコネクタ１１ｂ、２１ｂの衝撃が無視できなくなるが、本実施形態の遊動支持部３は、コネクタ１１ｂが吸着方向へ引き起こす突出動作を許容するものであるので、ある程度近づけるだけでコネクタ１１ｂ、２１ｂ同士が吸着することになり、無理のない接続を行うことができる。
【００３５】
この場合、コネクタ１１ｂ、２１ｂ間が接続されていない状態で、コネクタ２１ｂを没入位置に保持するためのオフセット用の補助マグネット機構６を備えているので、電力供給を行わないときに、電源ポール２の良好な見栄えを確保し、コネクタ２１ｂが突出して邪魔になることも有効に回避することができる。
【００３６】
また、コネクタ１１ｂ、２１ｂの高さが違うとコネクタ１１ｂ、２１ｂ同士の接続が困難となるが、本実施形態の遊動支持部３は、コネクタ２１ｂが高さ違いを解消するために引き起こす上下動作を許容するものであるので、床に不陸があって高さ方向にコネクタ１１ｂ、２１ｂ間の相対変位が生じても、確実な接続状態を得ることができる。
【００３７】
この場合、本実施形態では、コネクタ１１ｂ、２１ｂのうちのコネクタ２１ｂのみが遊動するように構成されていることに鑑みて、コネクタ１１ｂ、２１ｂ間が接続されていない状態で、遊動する側のコネクタ２１ｂが自重により支持面である底壁２４ｃ上にオフセットされるように構成するとともに、この位置でのコネクタ２１ｂの基準床面からの高さｈ２が、遊動しない側のコネクタ１１ｂの基準床面からの高さｈ１よりも低くなるように設定しているので、床の不陸に対して、コネクタ１１ｂ、２１ｂの何れが相対的に高くなっても接続を確実に行うことができる。
【００３８】
遊動支持部３の具体的構成としては、通過窓３１ａを有し、コネクタ２１ｂと一体的に作動するように設けた軸部３２を前記通過窓３１ａに通過させた状態で軸部３２の遊動を所定範囲内で許容するようにしているので、ブラケットやボルト等の簡単な部品を使うだけで、遊動支持部３を構成することができる。
【００３９】
さらに、テーブル１をコネクタ１１ｂ、２１ｂ同士の接続に必要な位置の近傍に導くためのガイド機構７を当該テーブル１と電力供給部との間に設けているので、テーブル１を無造作に移動させても、所定位置に確実に導くことができる。
【００４０】
さらにまた、ガイド機構７によるガイド終端位置は、コネクタ１１ｂ、２１ｂ同士を、コネクタ２１ｂが遊動しない限り接続されない範囲で近接させる位置に設定しているので、テーブル１の移動の慣性がコネクタ同士の衝撃になることを確実に回避することができる。
【００４１】
そして、本実施形態では、電源供給部である電源ポール２に複数のコネクタ２１ｂを備え、移動家具である複数のテーブル１が所定位置に配列集合した状態で電源ポール２の各コネクタ２１ｂに各々対応するテーブル１のコネクタ１１ｂが接続されるように構成しているので、１箇所おいて集中的に電力給電ができる利便性が得られるのは勿論のこと、個々のテーブル１，１同士を突き合せて図示のよう大型のテーブルを構成する場合にも、有効な電力供給を受ける状態を構築ことができる。
【００４２】
なお、各部の具体的な構成は、上述した実施形態のみに限定されるものではない。
【００４３】
例えば、上記実施形態では電源供給部である電源ポール２側のコネクタ２１ｂを遊動可能としたが、テーブル１側のコネクタ１１ｂを遊動可能としてもよく、或いは双方遊動可能とする構成も可能である。また、コネクタ１１ｂ、２１ｂの雄雌関係は逆であっても構わない。
【００４４】
さらに、電源供給部は上記のような電源ポールに限らず、例えば図９のような電源供給用のフレーム構造体１０２であってもよい。このフレーム構造体１０２は、左右の支柱１２０に水平フレーム１２１が架設されて、この水平フレーム１２１に沿って両面にそれぞれ複数のコネクタ１２１ｂが配列されているものである。これらのコネクタ１２１ｂには、床から立ち上げた電力線が引き込んである。そして、移動家具であるデスク１０１を接近させると、デスク１０１側に設けたコネクタ１１１ｂ若しくはフレーム構造体１０２側のコネクタ１２１ｂの何れか一方が上記実施形態と同様に遊動して所定の接続状態を確立するようになっている。
【００４５】
この場合、フレーム構造体１０２側のコンセント１２１ｂ、１２１ｂ間のピッチは、デスク１０１のモジュール（天板巾）に対応させてあり、図１０に示すように複数のデスク１０１をフレーム構造体１０２に沿って配列集合した状態で、フレーム構造体１０２の各コネクタ１２１ｂに各々対応するデスク１０１のコネクタ１１１ｂが接続されるように構成してある。
【００４６】
このため、図示のようにデスクを島型配置した状態で、フレーム構造体から有効に電力供給を受けることが可能となる。
【００４７】
勿論、フレーム構造体の左右の支柱部分は、電力線を水平フレーム導くことができれば、パネルであっても枠体であっても構わない。また、電力線をコネクタに導くことができれば、電源供給部として、衝立や幕板として機能するパネル構造体を使用することもできる。さらに電源供給部はコンセントを備えた建築構造物の壁面であっても構わない。
【００４８】
さらにまた、上記各実施形態において移動家具であるテーブル１やデスク１０１にバッテリを搭載しておけば、電力供給位置から離れた場所にテーブル１やデスク１０１を移動させてもパソコン等に電力供給することができるので、オフィスのレイアウトの自由度を高め、目的・用途に応じた執務体制を臨機応変に整えることが可能となる。
【００４９】
その他の構成も、本発明の趣旨を逸脱しない範囲で種々変形が可能である。
【図面の簡単な説明】
【００５０】
【図１】本発明の一実施形態に係る給電システムを、その構成要素であるテーブルおよび電源ポールとともに示す斜視図。
【図２】同電源ポールの内部構造を示す斜視図。
【図３】同電源ポールおよびテーブルにそれぞれ設けたコンセントの説明図。
【図４】同電源ポールおよびテーブルにそれぞれ設けたコンセントの説明図。
【図５】同電源ポールへのテーブルの接続関係を示す正面図。
【図６】同電源ポールへのテーブルの接続関係を示す要部断面図。
【図７】同電源ポールへのテーブルの接続関係を示す図５に対応した正面図。
【図８】同給電システムの使用例を示す図。
【図９】本発明の他の実施形態に係る給電システムを、その構成要素であるデスクおよびフレーム構造体とともに示す斜視図。
【図１０】同給電システムの使用例を示す図。
【符号の説明】
【００５１】
１…移動家具（テーブル）
２…電力供給部（電源ポール）
３…遊動支持部
５…マグネット機構
６…補助マグネット機構
７…ガイド機構
１１ｂ…コネクタ
２１ｂ…コネクタ
３１ａ…通過窓
３２…軸部
【図１】
2010118247.tif 000003
【図２】
2010118247.tif 000004
【図３】
2010118247.tif 000005
【図４】
2010118247.tif 000006
【図５】
2010118247.tif 000007
【図６】
2010118247.tif 000008
【図７】
2010118247.tif 000009
【図８】
2010118247.tif 000010
【図９】
2010118247.tif 000011
【図１０】
2010118247.tif 000012